(57)【特許請求の範囲】
【請求項１】
陶器原料を水とこねて製造された成形用原料を棒状に成形する棒状成形工程と、前記棒状成形工程で得られた棒状成形品を２乃至複数本撚り合わせて縄状に形成する縄状物成形工程と、前記縄状物成形工程で得られた縄状成形品を所定の長さの棒状物や柱状物や紐状物にカットするカット工程と、前記成形用原料を円板状や三角形や四角形等の多角形の角板状の底板を成形する底部成形工程と、前記カット工程で得られた一定の長さの有する複数の柱状物を目的とする陶芸品の形に応じて前記底部成形工程で得られた底板の周囲やその他所定部に立設する底部の柱状物立設工程と、前記柱状物立設工程で立設された柱状物の頂部に前記カット工程で得られた所定長さの複数の紐状物の１乃至複数を寝かせてリング状に載置し載置面を水等で濡らして固定する紐状物固定工程と、前記紐状物固定工程で固定された紐状物の上に前記カット工程で得られた複数の柱状物を立設する上段の柱状物立設工程と、前記上段の柱状物立設工程で立設された柱状物の頂部に前記カット工程で得られた所定長さの複数の紐状物の１乃至複数を寝かせてリング状に載置し載置面を水等で濡らして固定する上段の紐状物固定工程と、次いで、前記上段の柱状物立設工程と前記上段の紐状物固定工程を目的とする陶芸品の所定の高さまで繰り返す繰り返し工程と、を備えた縄編み風格子付陶芸品の製造方法。
【請求項２】
前記柱状物立設工程で立設された柱状物の基部に前記カット工程で得られた所定長さの棒状物からなる補強材を巻きつけて固定する柱状物の補強工程を備えていることを特徴とする請求項１に記載の縄編み風格子付陶芸品の製造方法。
【請求項３】
前記底部成形工程で前記底板の代わりに紐状物をリング状に成形し、前記リング状の紐状物を底部として用いることを特徴とする請求項１又は２の内いずれか１項に記載の縄編み風格子付陶芸品の製造方法。
【請求項４】
前記柱状物の２本の基部を接合しＶ字状に形成されたＶ字状柱状部を備えていることを特徴とする請求項１乃至３の内いずれか１項に記載の縄編み風格子付陶芸品の製造方法。
【請求項５】
前記柱状物立設工程で立設された柱状物や前記紐状物固定工程で固定された紐状物を５０〜７０％乾燥させる乾燥工程と、前記乾燥工程で乾燥された前記柱状物や前記紐状物の外周面側に花やぶどう房等の果実、動物、昆虫、人形、自然物等の形状に作製した装飾部を固定する固定工程を備えていることを特徴とする請求項１乃至４の内いずれか１項に記載の縄編み風格子付陶芸品の製造方法。
【発明の詳細な説明】
【０００１】
【発明の属する技術分野】
本発明は全く新規な縄編み風格子で外周側が形成された各種インテリアに好適な縄編み風格子付陶芸品の製造方法に関する。
【０００２】
【従来の技術】
従来、置物や花瓶等の花器、照明器具等の各種インテリアに陶磁器製のものが多用されている。その表面には花等の自然物を絵画的に表したものや、形状を斬新な形にしたものが主流である。
例えば、実開平７−３６８３３号公報には天然の竹筒をそのまま模した竹陶花器が開示されている。
また、特開平９−３８９２５号公報には、押出成形により多数のセル構造を備えた花器等にも使用可能な容器類が開示されている。
また、実用新案登録第３００２８７０号公報には容器本体と蓋体とからなり、容器本体の側部または蓋の少なくとも一方に透かし模様が設けられており、該蓋体に生土に下絵を練り込んで作製される花弁等の立体のセラミック製彩色装飾を設けて形成されたインテリアとしても優れたポプリ用容器が開示されている。
【０００３】
【発明が解決しようとする課題】
しかしながら上記従来の陶芸品は、表面に描いた美的装飾や容器の変形した美的形状を創作したもので、縄編み風の格子を外周側壁に備えた縄編み風格子付陶芸品は未だ知られていない。
また、特開平９−３８９２５号公報のものは、多数のセル構造を中心軸と平行に有し独創性はあるが、その外周側壁は平面で格子状の縄編み模様等の装飾を形成することができない。
また、実用新案登録第３００２８７０５号公報は、いわゆる透かし模様を有しているが、この透かし模様は削り彫りであって、また太い縄編み状の棒状物で構成された格子状の模様を表面に形成することはできない。
【０００４】
本発明は上記従来の課題を解決するもので、置物や照明具等の美術工芸品、花器等の外装材として全く新規な縄編み風の格子で外周側壁が形成された美術工芸品として優れた斬新な縄編み風格子付陶芸品の製造方法を提供することを目的とする。
【０００５】
【課題を解決するための手段】
この目的を達成するために本発明は、以下の構成を有している。すなわち、
請求項１に記載の縄編み風格子付陶芸品の製造方法は、陶器原料を水とこねて製造された成形用原料を棒状に成形する棒状成形工程と、前記棒状物成形工程で得られた棒状成形品を２乃至複数本撚り合わせて縄状に形成する縄状物成形工程と、前記縄状成形工程で得られた縄状成形品を所定の長さの棒状物や柱状物や紐状物にカットするカット工程と、前記成形用原料を円板状や三角形や四角形等の多角形の角板状の底板を成形する底部成形工程と、前記カット工程で得られた一定の長さの有する複数の柱状物を目的とする陶芸品の形に応じて前記底部成形工程で得られた底板の周囲やその他所定部に立設する底部の柱状物立設工程と、前記柱状物立設工程で立設された柱状物の頂部に前記カット工程で得られた所定長さの複数の紐状物の１乃至複数を寝かせてリング状に載置し載置面を水等で濡らし固定する紐状物固定工程と、前記紐状物固定工程で固定された紐状物の上に前記カット工程で得られた複数の柱状物を立設する上段の柱状物立設工程と、前記上段の柱状物立設工程で立設された柱状物の頂部に前記カット工程で得られた所定長さの複数の紐状物の１乃至複数を寝かせてリング状に載置し載置面を水等で濡らし固定する上段の紐状物固定工程と、次いで、前記上段の柱状物立設工程と前記上段の紐状物固定工程を目的とする陶芸品の所定の高さまで繰り返す繰り返し工程と、を備えた構成を有している。
【０００６】
この構成により、縄状に撚った棒状物の柱材と縄状に撚った紐状物の上下桟材により正方形や長方形等の格子状の外周側壁を形成できるという作用を有する。格子状の外周壁を複数段積み挙げることにより格子窓を有する円筒や角筒、楕円筒の筒状をした背高の斬新な陶芸品を作製することができるという作用を有する。柱状物の太さや長さ及びピッチを変えることにより種々の大きさの開口部分を備えた格子を作製できるという作用を有する。
ここで、陶器原料としては、赤土や大隈、石村、唐津、嘉穂、萩、備前、伊賀等で産する粘土や志野土等が用いられる。また、陶器原料には下絵具顔料を練り込んだ材料を用いてもよい。この場合、一回の素焼で、陶芸品に合致した彩色が得られ縄編み模様と彩色が一体化した陶芸品を得ることができる。陶器原料は１つの陶芸品については同一の原料を用いることが好ましい。各原料で焼成した際の収縮率が異なり接合部に隙間ができたり形状が崩れたり、更には割れが生じたりするのを防ぐためである。
棒状成形工程で得られる棒状成形品の直径は０．５ｃｍ〜３ｃｍ、好ましくは０．８ｃｍ〜１．５ｃｍ、長さは１５〜６０ｃｍ、好ましくは２０〜３０ｃｍに成形される。棒状成形品の直径が０．８ｃｍより小さくなるにつれ縄状成形品を作製する際に本数を要しまた柱状物にしたとき座屈強度に欠ける傾向があるので好ましくない。また、１．５ｃｍを越えるにつれ縄状成形品を作製する際に途中で自重により細くなったりして径の安定した縄状成形品が得られ難い傾向があるのでいずれも好ましくない。また、長さが２０ｃｍよりも短くなると上下桟材の紐状物を多数本用いねばならず継ぎ作業が煩雑で作業性に欠けるとともに継ぎ目が作業中にズレたりする傾向が生じ、長さが３０ｃｍを越えるにつれ縄状により難く所定のより目が得られ難い傾向があるのでいずれも好ましくない。
カット工程でカットされる柱状物の長さは縄状成形品の直径にもよるが２〜１０ｃｍ、好ましくは３〜７ｃｍに形成される。
３ｃｍよりも短くなるにつれ格子の開口部分が小さくなりすぎるとともに柱状部の基部を補強する補強材が取り付け難くなるという傾向が生じ易く、また７ｃｍよりも長くなるにつれ柱状物が柔らかい場合に形状安定性に欠け曲がったり倒れたりするという傾向が生じ易いので、いずれも好ましくない。
また、紐状物の長さは、陶芸品の横断面の径が小さいときは、横断面の長さに合わせて形成されるが、陶芸品の横断面の径が大きいときは、横断面の全周の長さの１／２乃至は数分の１にカットされるのが好ましい。紐状物が長いと載置する際に最初に載置した柱状物に重量がかかり、その結果柱状物が歪み、形状がいびつになり易いので、これを防ぐためである。カットする際に紐状物の端部は斜め切りにし斜断面を上下に合わせるようにカットされるのが望ましい。紐状物の端部間を接合する際、斜断面を上下で合わせ、その斜断面や周囲を水で濡らしてこするだけで、位置ズレやふくらみ部が生ずることなく均一に一体化し見栄えを向上させることができるためである。
【０００７】
請求項２に記載の縄編み風格子付陶芸品の製造方法は、請求項１において、前記柱状物立設工程で立設された柱状物の基部に前記カット工程で得られた所定長さの棒状物からなる補強材を巻きつけて固定する柱状物の補強工程を備えている構成を有している。
ここで、補強材の径は柱状物の径の０．５〜１．６倍、好ましくは０．８〜１．３倍に形成される。径が柱状物の径の０．８倍よりも小さくなるにつれ補強効果が得られ難い傾向があり、また、１．３倍を越えるにつれ、格子の開口の大きさにもよるが、開口幅が広くなりすぎ、柱状物の頂部に載置する紐状物が撓む傾向があるので、いずれも好ましくない。
補強材は巻き付けた後、水を少し濡らし柱状物や底部、紐状物と固定するとより高い補強効果を得ることができる。
この構成により、柱状物の基部を補強し、柱状物を底部や側壁の紐状物に強固に固定することをできるという作用を有する。また、柱状物が補強され曲がったりしないので、外周側壁を所望の形状に形成できるという作用を有する。
【０００８】
請求項３に記載の縄編み風格子付陶芸品の製造方法は、請求項１又は２の内いずれか１項において、前記底部成形工程で前記底板の代わりに紐状物をリング状に成形し、前記リング状の紐状物を底部として用いる構成を有している。
ここで、底部のリング状の紐状物は一本で形成してもよく、または前述のように複数本を接合して形成してもよい、底部の太さは前述の紐状物と同一か太めに形成してもよい。上層に積み上げていく柱状物や紐状物の重量により底部がつぶれ変形するのを防ぐためである。
この構成により、全体が筒状に形成され、花器や照明具の斬新な外装材が得られるという作用を有する。これにより、内部に安価な材料（ガラス製や金属製）で作製した容器を収納し、全体として斬新な花器や、内部に光源体を備えた斬新な照明具が作製できるという作用を有する。
【０００９】
請求項４に記載の縄編み風格子付陶芸品の製造方法は、請求項１又は２の内いずれか１項において、前記柱状物の２本の基部を接合しＶ字状に形成されたＶ字状柱状部を備えている構成を有している。
この構成により、柱状物の座屈強度が著しく強化されるという作用を有する。これにより外周壁の途中がつぶれて変形するのを防止できるので高さの高い大型の陶芸品をも作製できるという作用を有する。また、柱状物の全体を外側に傾斜し広げながら作製することにより中央部や上部の横断面が広い壺形や鉢形の陶芸品を得ることができるという作用を有する。
また、Ｖ字状柱状物の形成された層と、Ｖ字状柱状物を有しない層等の組み合わせにより、横断面が拡開した部分や狭小した部分を有した斬新な陶芸品が得られるという作用を有する。
【００１０】
請求項５に記載の縄編み風格子付陶芸品の製造方法は、請求項１乃至４の内いずれか１項において、前記柱状物立設工程で立設された柱状物や前記紐状物固定工程で固定された紐状物を５０〜７０％乾燥させる乾燥工程と、前記乾燥工程で乾燥された前記柱状物や前記紐状物の外周面側に花やぶどう房等の果実、人形、昆虫等の形状に作製した装飾部を固定する固定工程を備えている構成を有している。
ここで、装飾部は花やブドウ房等の果実、人形、動物、昆虫、自然物等その陶芸品のモチーフに会ったものが選択される。尚、装飾部は柱状物や紐状物、補強材と同一の陶器原料で形成されるのが好ましい。焼成時の収縮率の差による亀裂等の発生を防止するためである。装飾部の固定は装飾部と柱状物や補強部の等の各当接面を水で濡らして柔軟にして固定するか同一成形原料の粘土等の粘稠物からなるセラミックペーストを使用して接着固定する。この場合、装飾部の大きさによっては装飾部を固定する部分の補強材は設けなくてもよい。装飾部が補強材を兼ねることができるからである、
これにより、装飾部を外周壁面に備えているので装飾効果を著しく高めることができるという作用を有する。
【００１１】
【発明の実施の形態】
以下本発明を実施の形態により、図面を用いて説明する。
（実施の形態１）
図１は本発明の縄編み風格子付陶芸品の製造方法により作製された陶芸品の斜視図である。
１は実施の形態１における縄編み風格子付陶芸品の製造方法で作製された内部に電球等の光源体を入れて照明インテリア用に形成された陶芸品、２は円板状に形成された底部、３は底板２の周縁部に所定間隔を開けて立設された２本の棒状成形品を撚って縄状に成形した後、５ｃｍ±２ｃｍの長さでカットした柱状物、４は各柱状物３の頂部に載置され固定された前記柱状物３と略同一の径で、陶芸品１の横断面の径の１／２〜数分の１の長さに形成され、その両端部を各々接合されリング状に形成された紐状物、５は柱状物３の基部に巻きつけ水で柱状物３を底部２に接合固定した補強材、６，６′は柱状物３や紐状物４の外表面と背面で水でこすられ平らにされて接合したり前述のセラミックペーストで接合された装飾部、７は最上部の紐状物４にＵ字形の両端部を接合して形成された上部装飾部である。
【００１２】
以上のように構成された実施の形態１における陶芸品の製造方法について、以下図面を用いて説明する。
図２は実施の形態１における縄編み風格子付陶芸品の製造工程を示すフロー図である。
成形用原料調整工程Ｓ１で、目的とする陶芸品に合わせて、粘土等を選択し水で十分こね成形用原料が調整される。尚、成形用原料に願料を練り込んでもよい。顔料を練り込んで使用した場合、色流れが生じず所期の彩色が得られる。
願料としては、酸化焼成用と還元焼成用の下絵具等に用いられる顔料が好適に用いられる。陶器用の顔料としては、たとえば陶試紅、ＢＧ−クノグリーンなどの酸化還元両用の顔料、トルコ青、還元用黄色などの還元顔料、プラセオ黄色、酸化用トルコ青、ライラックなどの酸化顔料があげられる。これらの顔料は通常、原料１００重量部に対して５〜９０重量部、好ましくは１０〜６０重量部配合され混練りされる。
棒状成形工程Ｓ２で、成形用原料調整工程Ｓ１で調整された成形用原料を用い、径が１．２ｃｍ±０．５ｃｍの細長い棒状成形品が形成される。
底部成形工程Ｓ３で、成形用原料調整工程Ｓ１で調整された成形用原料を用い、所期の陶芸品の底部の大きさに円形状や角形状の板状の底板からなる底部２が形成される。底部２の大きさは陶芸品の目的に合わせて適宜決定される。
装飾部形成工程Ｓ４で、成形用原料調整工程Ｓ１で調整された成形用原料を用い、所期の陶芸品のモチーフに合った花や人形、魚、ぶどう房等の果実、蝶や自然物等の形状の装飾部６，６′が形成される。
縄状物形成工程Ｓ５で、前述の棒状成形工程Ｓ２で得られた棒状成形品を２乃至複数本撚り合わせて縄状物を作製する。撚り方が荒いと縄目が不揃いになる傾向があるので注意が必要である。また撚り方が少ないとねじり棒のようになるので、長手方向で４ｃｍ当たり１〜３．５のよじれ部を形成するように撚ると縄編み模様を形成することができる。
【００１３】
カット工程Ｓ６で３〜６ｃｍの長さで、縄状成形品をカットし柱状物３及び補強材５を作製するとともに、所定の長さの紐状物４を作製する。
棒状物立設Ｓ７で、先に底部成形工程Ｓ３で作製した底部２にカット工程６で得られた柱状部３を立設固定する。固定は柱状物３の固定部を水で濡らして立て撚り合わせて固定する。尚、柱状物３を底部２に等間隔で立設し見栄えをよくするために、底部２の柱状物３を立設する部分に目印をつけると作業性を高めることができる。
次に、紐状物固定工程８で、立設された柱状物３の各頂部に亘るように紐状物４を寝かせて載置固定する。固定は紐状物４の載置前に各柱状物３の頂部を水で濡らして少し柔軟にした後載置し少し押しつけて固定する。また、紐状物４は陶芸品をその部分で輪切りにした時の横断面の外周の１／２〜数分の１の長さでカットされた両端部を上下斜断し上下で接合して固定することにより接合部での段差の発生をなくし渾然一体化できる。
次いで、その斜断面を水で濡らすか同一成形用原料の粘稠物からなるセラミックペーストで固定する。
次いで、所望の陶芸品１の高さになるまで棒状物立設工程Ｓ７と紐状物固定工程Ｓ８を繰り返す。
【００１４】
上層を形成するときは、下層の柱状物３や紐状物４が５０〜７０％乾燥するまで放置する。５０〜７０％乾燥させることにより下層の強度が得られるので、上層の柱状物３の立設の際に下層が押されて変形したりするのを防止できる。
また、５０〜７０％乾燥した時点で、下層をラップフィルム等保湿性のフィルムで被覆し保護すると柱状物３や紐状物４の表面にヒビが入ったり焼成時に焼成斑が生じるのを防止できる。更に、大型の陶芸品の場合、５０〜７０％の乾燥度を保つように下層に霧吹き等で水分を与え保湿するとよい。
また、上層の柱状物３は下層の柱状物３の上の紐状物４の上に固定してもよく、また下層の柱状物３と柱状物３の間に固定してもよい。下層の柱状物３と柱状物３の間に立設固定するときは紐状物４が５０〜７０％乾燥してから立設固定するのが望ましい。紐状物４が柱状物３の重量や固定する際の押す力で撓むのを防ぐためである。
【００１５】
更に、所望する陶芸品１が高さ方向の途中で膨らみを有する場合は柱状物３と柱状物３の間等にも柱状物３を立設し、各柱状物３を所望する広がりが得られるように外側に傾斜して立設固定し、その上にその部分での陶芸品１を輪切りしたときの横断面の外周の長さに合わせて紐状物４を前記と同様にしてリング状に形成するとよい。また陶芸品１の途中を狭小化させる場合は柱状物３の数を間引いて、紐状物４の上に等間隔で固定し、前記と同様にして所定長さに紐状物４を形成するとよい。更に、所望の陶芸品が大きく鉢のように上部の広がりが大きいときは、所定間隔毎に柱状物３をＶ字状に合わせ基部を合体させたＶ字状柱状物を配設し座屈強度を強化することにより作製できる。
尚、各工程における乾燥は７０％を越えるにつれ、焼成中に収縮率の差によるひび割れや剥離、割れが生じたり、装飾部６等が剥離して落下する傾向が有するので好ましくない。また、５０％よりも低くなるにつれ、柱状物３や紐状物４が柔らかすぎて紐状物４を載置したりする際や、柱状物３を紐状物４上に立設する際、又は装飾部６を固定する際に変形する傾向があるので好ましくない。
【００１６】
所望する大きさの陶芸品素地が作製された後、装飾を施す場合は、装飾部固定工程Ｓ９で陶芸品素地を５０〜７０％乾くまで乾燥させる。次いで、各当接面を水で濡らし平らにするか、前述のセラミックペーストで装飾部６，６′を固定する。
次いで、焼成等の仕上げ工程Ｓ１０で常法に従い焼成を行う。尚、必要に応じて下絵を描き釉薬を掛けて焼成するか、更に、上絵を描き焼成してもよく、また、所望により金彩を施してもよい。または、陶芸品素地や装飾部６，６′に色彩掛けを行った後、本焼きを行ってもよい。
【００１７】
【発明の効果】
以上のように、本発明の縄編み風格子付陶芸品の製造方法によれば、以下の優れた効果を実現できる。
請求項１に記載の縄編み風格子付陶芸品の製造方法によれば、
ａ．縄状に撚った棒状物の柱材と縄状に撚った紐状物の上下桟材により正方形や長方形等の格子状の外周側壁を備えた全く斬新な縄編み風格子付陶芸品を得ることができる。
ｂ．格子状の外周壁を複数段積み挙げることにより格子窓を有する円筒や角筒、楕円筒の筒状をした背高の斬新な縄編み風格子付陶芸品を作製できるとともに、柱状物の太さや長さ及びピッチを変えることにより種々の大きさの開口部分を備えた格子で外周壁を形成した縄編み風格子付陶芸品を得ることができる。
請求項２に記載の縄編み風格子付陶芸品の製造方法によれば、請求項１の他、
ｃ．柱状物の基部を補強し、下部の底板や紐状物に強固に固定することをでき、機械的強度を向上させ耐久性に優れる。
請求項３に記載の縄編み風格子付陶芸品の製造方法によれば、請求項１又は２の内いずれか１項に記載の他に、
ｄ．全体が筒状の斬新なインテリヤ用外装材を得ることができ、内部に安価な材料（ガラス製や金属製）で作製した容器等を収納し、全体として斬新な花器等のインテリア用陶芸品を作製できる。
請求項４に記載の縄編み風格子付陶芸品の製造方法によれば、請求項１乃至３の内いずれか１項に記載の他に、
ｅ．柱状物の座屈強度を著しく強化することができ、背の高い大型のインテリア用陶芸品として好適な縄編み風格子付陶芸品を作製できる。
ｆ．柱状物の先端を外側に少し広げながら作製することにより上部が拡開した逆ハ字形の縄編み風格子付陶芸品を得ることができる。
請求項５に記載の縄編み風格子付陶芸品の製造方法によれば、請求項１乃至４の内いずれか１項に記載の他に、
ｇ．装飾部を外周壁面に備えているのでインテリア効果を著しく高めることができる。
【図面の簡単な説明】
【図１】本発明の縄編み風格子付陶芸品により作製された陶芸品の斜視図
【図２】実施の形態１における縄編み風格子付陶芸品の製造工程を示すフロー図
【符号の説明】
１  陶芸品
２  底部
３  柱状物
４  紐状物
５  補強材
６，６′  装飾部
７  上部装飾部
【図１】
0003860644.tif 000002
【図２】
0003860644.tif 000003